(57)【要約】【課題】加熱されても建具によって仕切られている２つの空間が連通し難い建具を提供する。【解決手段】障子が備える面材の外周部を収容する面材収容部を有する４つの框材のうちの１つである召合せ框は、面材収容部に長手方向に沿って設けられ難燃性または不燃性の召合せ補強材を有し、召合せ框と隣接する２つの框材は、その長手方向に沿って設けられ難燃性または不燃性の隣接補強材を有し、召合せ補強材と隣接補強材とは、見込み方向に重なる部位が接合されている。【選択図】図１
2015190108.tif 000002
【特許請求の範囲】
【請求項１】
枠体に沿って障子がスライドすることにより前記枠体により形成される開口を開閉可能な建具であって、
前記障子は、面材と、
前記面材の外周部を収容する面材収容部を各々有し、前記障子を閉じたときに見込み方向において他の部材と対向する召合せ框を含む４つの框材が框組みされた框体と、
を有し、
前記召合せ框は、前記面材収容部に長手方向に沿って設けられ難燃性または不燃性の召合せ補強材を有し、
前記召合せ框と隣接する２つの框材は、その長手方向に沿って設けられ難燃性または不燃性の隣接補強材を有し、
前記召合せ補強材と前記隣接補強材とは、見込み方向に重なる部位が接合されていることを特徴とする建具。
【請求項２】
請求項１に記載の建具であって、
前記隣接補強材は、前記隣接する２つの框材の、前記障子を閉じたときに前記召合せ框が前記他の部材と対向しない側であって、各々の前記框材の外側に設けられていることを特徴とする建具。
【請求項３】
枠体に沿って障子がスライドすることにより前記枠体により形成される開口を開閉可能な建具であって、
前記障子は、面材と、
前記面材の外周部を収容する面材収容部を有する４つの框材が框組みされた框体と、
を有し、
前記４つの框材のうちの１つは、前記障子を閉じたときに見込み方向において他の部材と対向する召合せ框であり、
前記召合せ框と隣接する２つの框材は、その長手方向に沿って設けられ、框組みされたときに前記召合せ框の前記面材収容部より外周側に延出された延出部を有する難燃性または不燃性の隣接補強材を有し、
前記召合せ框は、前記面材収容部の外周側に長手方向に貫通する中空部と、
前記中空部内に、当該召合せ框に前記隣接する２つの框材を固定するビスが螺合されるビス螺合部と、を有し、
前記延出部が、前記ビスにより前記召合せ框と隣接する前記框材とともに前記召合せ框に固定されていることを特徴とする建具。
【請求項４】
請求項３に記載の建具であって、
前記中空部内には、前記長手方向に沿って設けられ難燃性または不燃性の中空部内補強材を有し、
前記延出部が前記中空部内補強材と接合されていることを特徴とする建具。
【請求項５】
請求項３または請求項４に記載の建具であって、
前記召合せ框は、前記面材収容部に長手方向に沿って設けられ難燃性または不燃性の召合せ補強材を有し、
前記隣接補強材と前記召合せ補強材とは、それらの端部同士が見込み方向に重なっていることを特徴する建具。
【発明の詳細な説明】
【技術分野】
【０００１】
本発明は、枠体に沿って障子がスライドすることにより前記枠体により形成される開口を開閉可能な建具に関する。
【背景技術】
【０００２】
枠体に沿って障子がスライドすることにより前記枠体により形成される開口を開閉可能な建具としては、建造物躯体の開口部に取り付けられた窓枠に、外障子窓框及び内障子窓框がそれぞれ引き違い状態で建て込まれた引き違い窓が知られている（例えば、特許文献１参照）。この引き違い窓は、外障子窓框の外障子召合せ框及び内障子窓框の内障子召合せ框が中空部を有しており、その中空部内に補強材として形鋼部材を挿設して、召合せ框の機械的強度を向上させるとともに、火炎に曝された際の耐熱変形性の向上も図られています。
【先行技術文献】
【特許文献】
【０００３】
【特許文献１】特開２００５−３５１００８号公報
【発明の概要】
【発明が解決しようとする課題】
【０００４】
上記の引き違い窓は、補強材をなす形鋼部材が外障子召合せ框及び内障子召合せ框の中空部内のみに挿設されているので、外障子窓框及び内障子窓框において、外障子召合せ框及び内障子召合せ框と他の框材との接合部分が溶融した場合には、外障子窓框及び内障子窓框が外れる、或いは、変形することにより隙間が生じて、建具にて仕切られた２つの空間の内外が連通してしまうおそれがある。
【０００５】
本発明は、かかる課題に鑑みてなされたものであり、その目的とするところは、加熱されても建具によって仕切られている２つの空間が連通し難い建具を提供することにある。
【課題を解決するための手段】
【０００６】
かかる目的を達成するために本発明の建具は、枠体に沿って障子がスライドすることにより前記枠体により形成される開口を開閉可能な建具であって、前記障子は、面材と、前記面材の外周部を収容する面材収容部を各々有し、前記障子を閉じたときに見込み方向において他の部材と対向する召合せ框を含む４つの框材が框組みされた框体と、を有し、前記召合せ框は、前記面材収容部に長手方向に沿って設けられ難燃性または不燃性の召合せ補強材を有し、前記召合せ框と隣接する２つの框材は、その長手方向に沿って設けられ難燃性または不燃性の隣接補強材を有し、前記召合せ補強材と前記隣接補強材とは、見込み方向に重なる部位が接合されていることを特徴とする建具である。
【０００７】
召合せ框は他の框材と異なり、障子を閉めた際に枠体が長手方向に沿うことはなく、ほぼ全体が外部に露出するので、火災時などには火炎等に晒されることにより溶融されて隣接する框材から外れやすい。本発明の建具によれば、召合せ框の面材収容部に設けられた難燃性または不燃性の召合せ補強材と隣接する框材に長手方向に沿って設けられた難燃性または不燃性の隣接補強材とが、見込み方向に重なる部位で接合されているので、たとえ火炎等により加熱されたとしても隣接する框材と召合せ框とが外れ難い。このため、建具によって仕切られている２つの空間が連通されること防止することが可能である。
【０００８】
かかる建具であって、前記隣接補強材は、前記隣接する２つの框材の、前記障子を閉じたときに前記召合せ框が前記他の部材と対向しない側であって、各々の前記框材の外側に設けられていることが望ましい。
【０００９】
隣接する框材の、障子を閉じたときに召合せ框が他の部材と対向しない側は、火災時に火炎に直接に晒される虞があるが、上記建具によれば、障子を閉じたときに召合せ框が他の部材と対向しない側であって隣接する框材の外側に隣接補強材が設けられているので、隣接する框材をより効果的に火炎から保護することが可能である。
【００１０】
また、枠体に沿って障子がスライドすることにより前記枠体により形成される開口を開閉可能な建具であって、前記障子は、面材と、前記面材の外周部を収容する面材収容部を有する４つの框材が框組みされた框体と、を有し、前記４つの框材のうちの１つは、前記障子を閉じたときに見込み方向において他の部材と対向する召合せ框であり、前記召合せ框と隣接する２つの框材は、その長手方向に沿って設けられ、框組みされたときに前記召合せ框の前記面材収容部より外周側に延出された延出部を有する難燃性または不燃性の隣接補強材を有し、前記召合せ框は、前記面材収容部の外周側に長手方向に貫通する中空部と、前記中空部内に、当該召合せ框に前記隣接する２つの框材を固定するビスが螺合されるビス螺合部と、を有し、前記延出部が、前記ビスにより前記召合せ框と隣接する前記框材とともに前記召合せ框に固定されていることを特徴とする建具である。
【００１１】
このような建具によれば、召合せ框と隣接する框材の面材収容部に設けられた難燃性または不燃性の隣接補強材の延出部は、召合せ框に隣接する框材を固定するビスが召合せ框のビス螺合部に螺合されて固定されているので、隣接補強材を固定するための部材を用いる、或いは、新たな加工を施すことなく、隣接補強材と召合せ框とを固定することが可能である。
【００１２】
かかる建具であって、前記中空部内には、前記長手方向に沿って設けられ難燃性または不燃性の中空部内補強材を有し、前記延出部が前記中空部内補強材と接合されていることが望ましい。
【００１３】
このような建具によれば、隣接する框材が有する隣接補強材と、召合せ框の中空部内に設けられた中空部補強材とが接合されているので、たとえ火炎等により加熱されたとしても隣接する框材と召合せ框とは外れ難い。このため建具によって仕切られている２つの空間が連通されることを、より確実に防止することが可能である。
【００１４】
かかる建具であって、前記召合せ框は、前記面材収容部に長手方向に沿って設けられ難燃性または不燃性の召合せ補強材を有し、前記隣接補強材と前記召合せ補強材とは、それらの端部同士が見込み方向に重なっていることが望ましい。
【００１５】
このような建具によれば、召合せ框の面材収容部に設けられた召合せ補強材と隣接する框材の面材収容部に設けられた隣接補強材とが見込み方向に重なっているので、障子が加熱されて溶融し、隣接する框材および召合せ框のいずれかが、面外方向に倒れる場合であっても、隣接補強材と召合せ補強材とが係合して倒れを防止することが可能である。
【発明の効果】
【００１６】
本発明によれば、加熱されても建具によって仕切られている２つの空間が連通し難い建具を提供することが可能である。
【図面の簡単な説明】
【００１７】
【図１】本発明に係る第１実施形態の建具を示す縦断面図である。
【図２】本発明に係る第１実施形態の建具を示す横断面図である。
【図３】第１実施形態の縦框と召合せ框との接合部の構成を示す分解斜視図である。
【図４】第１実施形態の縦框と召合せ框との接合部を示す斜視図である。
【図５】第１実施形態の変形例の構成を示す分解斜視図である。
【図６】第２実施形態の縦框と召合せ框との接合部の構成を示す分解斜視図である。
【図７】第２実施形態の縦框と召合せ框との接合部を示す斜視図である。
【図８】第２実施形態の第１変形例の構成を示す分解斜視図である。
【図９】第２実施形態の第２変形例の構成を示す分解斜視図である。
【発明を実施するための形態】
【００１８】
以下、本発明の第１実施形態に係る建具について図面を参照して説明する。
第１実施形態の建具１は、例えば、勝手口などに用いられる扉が備える換気用の上げ下げ窓用の建具である。
【００１９】
以下の説明においては、建物等に取り付けられた状態の建具１を室外側から見たときに、上下となる方向を上下方向、左右となる方向を左右方向、室内外方向である奥行き方向を見込み方向として示す。また、建具１が備える各部材は、単体の状態であっても建物等に取り付けられた状態にて上下方向、左右方向、奥行き方向となる方向にて方向を特定して説明する。
【００２０】
建具１は、図１、図２に示すように、建物の躯体に取り付けられた勝手口枠２にヒンジ４を介して開閉自在に設けられた勝手口扉３の本体をなすパネル体３ａに設けられた矩形状の角窓(不図示)に設けられている。建具１は、角窓の内周に取り付けられるアルミニウム製の枠体５と、この枠体５に沿ってスライドすることにより枠体５により形成される開口５ａを開閉可能な外障子１０及び内障子２０と、を有している。外障子１０及び内障子２０は、引き違い状に設けられており、枠体５により形成される開口５ａを閉じたときには、外障子１０が開口５ａの上部側に、内障子２０が開口５ａの下部側に位置し、外障子１０及び内障子２０の召合せ框１１、２１は、見込み方向において対向している。また、建具１には、外障子１０の室外側に網戸６と面格子７とが設けられている。
【００２１】
勝手口扉３には、開口５ａを閉じた状態において、建具１の枠体５と、外障子１０及び内障子２０の召合せ框１１、２１を除く框１２、１３、１４、２２、２３、２４と、を覆うカバー材３ｂ、３ｃが室内外の両面に設けられている。
【００２２】
本実施形態の勝手口扉３のパネル体３ａは、室外側を覆うアルミニウム製の表面材と室内側を覆う合成樹脂製の表面材とを有しており、室外側にアルミニウム製のカバー材３ｂが、室内側に合成樹脂製のカバー材３ｃがそれぞれ取り付けられている。
【００２３】
本実施形態の外障子１０は、面材としての複層ガラス１５と、複層ガラス１５の周端部１５ａを収容し溝状をなす面材収容部としてのガラス収容部１１ａ、１２ａ、１３ａ、１４ａを備えた４つの框材１１、１２、１３、１４が框組みされた框体１０ａと、を有している。框体１０ａを形成する４つの框材１１、１２、１３、１４は、いずれもアルミニウムの押出成形部材である。
【００２４】
框体１０ａは、複層ガラス１５の上端部１５ａを収容する上ガラス収容部１２ａを備えた上框１２と、複層ガラス１５の下端部１５ａを収容する下ガラス収容部１１ａを備えた召合せ框(下框)１１と、複層ガラス１５の左右の側端部１５ａを収容する側ガラス収容部１３ａ、１４ａを備えた縦框１３、１４と、を有している。本実施形態においては、縦框１３、１４が召合せ框１１と隣接する框材に相当する。
【００２５】
召合せ框１１は、図３、図４に示すように、溝状の下ガラス収容部１１ａを形成する複層ガラス１５の室内側にて当該複層ガラス１５の下端部１５ａと対向する内側下対向壁部１１ｂ、複層ガラス１５の室外側にて当該複層ガラス１５の下端部１５ａと対向する外側下対向壁部１１ｃ、内側下対向壁部１１ｂと外側下対向壁部１１ｃとの下縁とそれぞれ繋がって下ガラス収容部１１ａの底部をなす下底部１１ｄと、下底部１１ｄの下側に召合せ框１１の長手方向に貫通する中空部１１ｅを下底部１１ｄとともに形成する内側下中空形成壁部１１ｆ、外側下中空形成壁部１１ｇ、下中空形成底部１１ｈと、を有している。召合せ框１１の下ガラス収容部１１ａは、上方に開放された溝状をなし、内側下対向壁部１１ｂおよび外側下対向壁部１１ｃの上縁部が互いに対向する側に突出する突片１１ｉを有している。
【００２６】
召合せ框１１の下ガラス収容部１１ａ内には、内側下対向壁部１１ｂと対向する内下板部１６ａと、外側下対向壁部１１ｃと対向する外下板部１６ｂと、下底部１１ｄと対向してビス止めされる下底板部１６ｃとが、断面コ字状に形成されたステンレス製の召合せ補強材としての下補強材１６と、下補強材１６の内側に内側下対向壁部１１ｂおよび外側下対向壁部１１ｃの突片１１ｉに係合されるガスケット１７（図１）が設けられている。
【００２７】
下ガラス収容部１１ａの下に設けられた中空部１１ｅ内には、下底部１１ｄの下面に、召合せ框１１の長手方向に進入し、縦框１３、１４を固定するタッピングビス３０が螺合されるビス螺合部１１ｊが形成されている。ビス螺合部１１ｊは、タッピングビス３０によりビス溝が形成されつつ螺合されるので、召合せ框の他の部位より厚肉に形成されている。また、ビス螺合部１１ｊは、中空部１１ｅ内において見込み方向のほぼ中央部に設けられ、内側下中空形成壁部１１ｆおよび外側下中空形成壁部１１ｇと各々見込み方向に間隔を隔てて設けられている。
左右の縦框１３、１４は、同一の部材が用いられ、左右が反転するように配置される。このため、ここでは、右側の縦框１３を例に挙げて説明する
【００２８】
右側の縦框１３は、縦方向に沿って矩形状に框組みされた框体１０ａの内側に開放された溝状の側ガラス収容部１３ａを形成し複層ガラス１５の室内側にて当該複層ガラス１５の側端部１５ａと対向する内側縦対向壁部１３ｂ、複層ガラス１５の室外側にて当該複層ガラス１５の側端部１５ａと対向する外側縦対向壁部１３ｃ、内側縦対向壁部１３ｂと外側縦対向壁部１３ｃとの右縁とそれぞれ繋がって側ガラス収容部１３ａの底部をなす縦底部１３ｄと、縦底部１３ｄの右側に縦框１３の長手方向に貫通する中空部１３ｅを縦底部１３ｄとともに形成する内側縦中空形成壁部１３ｆ、外側縦中空形成壁部１３ｇ、縦中空形成底部１３ｈと、を有している。縦框１３の側ガラス収容部１３ａは、框体１０ａの内方に開放された溝状をなし、内側縦対向壁部１３ｂおよび外側縦対向壁部１３ｃの内側縁部が互いに対向する側に突出する突片１３ｉを有している。
【００２９】
縦框１３の側ガラス収容部１３ａ内には、内側縦対向壁部１３ｂおよび外側縦対向壁部１３ｃの突片１３ｉに係合されるガスケット１７(図２)が設けられている。複層ガラス１５は、周端部１５ａがガスケット１７に収容されて召合せ框１１、上框１２、縦框１３、１４の各ガラス収容部１１ａ、１２ａ、１３ａ、１４ａに収容されている。
【００３０】
召合せ框１１と縦框１３とは、召合せ框１１の下ガラス収容部１１ａと縦框１３の側ガラス収容部１３ａとが繋がるように、召合せ框１１の長手方向における端部において内側下対向壁部１１ｂおよび外側下対向壁部１１ｃとが切除されている。召合せ框１１と縦框１３とが接合されたときには、召合せ框１１の下底部１１ｄ、内側下中空形成壁部１１ｆ、外側下中空形成壁部１１ｇ、および、下中空形成底部１１ｈがいずれも縦框１３の縦底部１３ｄに当接されて召合せ框１１の中空部１１ｅが閉塞され、召合せ框１１の内側下対向壁部１１ｂおよび外側下対向壁部１１ｃの長手方向における端縁が縦框１３の内側縦対向壁部１３ｂと外側縦対向壁部１３ｃに設けられた突片１３ｉに当接される。この状態で、縦框１３を貫通するタッピングビス３０が召合せ框１１のビス螺合部１１ｊに螺合されて召合せ框１１と縦框１３とが接合されている。このとき、下補強材１６は、内側下対向壁部１１ｂおよび外側下対向壁部１１ｃと同じ長さか、あるいは短く形成されている。
【００３１】
縦框１３には、その長手方向に沿って、縦框１３の外側縦対向壁部１３ｃと縦底部１３ｄの室外側の部位を縦框１３の外側から覆うように、断面がＬ字型をなす鉄製の隣接補強材としての縦補強材１８が設けられている。すなわち、縦補強材１８の下端部は、縦框１３の外側縦対向壁部１３ｃおよび下補強材１６と見込み方向に重なっており、縦補強材１８は外側縦対向壁部１３ｃを見込み方向に貫通するビス３１により下補強材１６の外下板部１６ｂに接合されている。
【００３２】
第１実施形態の建具１によれば、召合せ框１１の下ガラス収容部１１ａに設けられたステンレス製の下補強材１６と隣接する縦框１３に長手方向に沿って設けられた鉄製の縦補強材１８とが、見込み方向に重なる部位で接合されているので、たとえ火炎等により加熱されたとしても縦框１３と召合せ框１１とが外れ難い。このため、たとえ外障子１０及び内障子２０を閉めた際に枠体５が長手方向に沿うことはなく、ほぼ全体が外部に露出する召合せ框１１が火炎等に晒されて溶融されても、縦框１３から外れ難いので、建具１によって仕切られている室内外の空間が連通されること防止することが可能である。
【００３３】
また、外障子１０及び内障子２０を閉じたときに召合せ框１１が内障子２０と対向しない側は、火災時に火炎に直接に晒される虞があるが、縦補強材１８が、縦框１３の室外側に設けられているので、縦框１３をより効果的に火炎から保護することが可能である。
【００３４】
また、図５に示すように、召合せ框１１の中空部１１ｅに、鉄製の断面コ字状の中空部内補強材３２を備え、中空部内補強材３２の端部を折り曲げて縦框１３の縦底部１３ｄと対面する縦框対面部３２ａを形成し、縦框１３を召合せ框１１の長手方向に貫通するビス３３を縦框対面部３２ａに螺合して縦框１３と召合せ框１１とを更に接合しても良い。この場合には、召合せ框１１と縦框１３との接合部が火炎に曝されたとしても、より召合せ框１１と縦框１３との接合が外れ難く、より防火性に優れた建具１を提供することが可能である。
【００３５】
上記実施形態では、縦補強材１８が縦框１３の外側に設けられていたが、第２実施形態では、縦框１３の側ガラス収容部１３ａ内に設けられている。以下、第１実施形態と同一構成については図中で同符号を付して示し、その説明については省略する。
【００３６】
第２実施形態の建具１に用いられる縦補強材３５は、断面形状が第１実施形態の下補強材１６と同様である。すなわち、第２実施形態の縦補強材３５は、図６、図７に示すように内側縦対向壁部１３ｂと対向する内縦板部３５ａと、外側縦対向壁部１３ｃと対向する外縦板部３５ｂと、縦底部１３ｄと対向して縦框１３にビス止めされる縦底板部３５ｃとが、断面コ字状に形成されている。第２実施形態の縦補強材３５は、内縦板部３５ａおよび外縦板部３５ｂの下縁が召合せ框１１の下底部１１ｄ上に載置され、縦底板部３５ｃが召合せ框１１の下ガラス収容部１１ａより下方に延出された延出部３５ｄを有し、縦框１３にビス止めされている。
【００３７】
延出部３５ｄは、召合せ框１１の中空部１１ｅの一部または全部を覆うように形成されており、縦框１３とともに召合せ框１１の長手方向に貫通するタッピングビス３０が召合せ框１１のビス螺合部１１ｊに螺合されて召合せ框１１と縦框１３とが接合されている。
【００３８】
第２実施形態の建具１によれば、召合せ框１１と隣接する縦框１３の側ガラス収容部１３ａに設けられたステンレス製の縦補強材３５の延出部３５ｄは、召合せ框１１と縦框１３とを接合するタッピングビス３０が召合せ框１１のビス螺合部１１ｊに螺合されて固定されているので、縦補強材３５を召合せ框１１側に固定するための部材を用いる、或いは、新たな加工を施すことなく、縦補強材３５を召合せ框１１に固定することが可能である。このとき、召合せ框１１のビス螺合部１１ｊは、中空部１１ｅ内に設けられているので、建具１が火炎に曝された際に即座に直接火炎に曝されることはない。また、ビス螺合部１１ｊは、召合せ框１１の他の部位より厚肉に形成され、内側下中空形成壁部１１ｆおよび外側下中空形成壁部１１ｇと見込み方向に間隔を隔てて設けられているので、框体１０ａの外部に露出している部位より溶融されにくい。このため、防火性の高い建具１を提供することが可能である。
【００３９】
また、図８に示すように、召合せ框１１の中空部１１ｅに、鉄製の断面コ字状の中空部内補強材３２を備え、中空部内補強材３２の端部を折り曲げて縦框１３の縦底部１３ｄと対面する縦框対面部３２ａを形成し、縦補強材３５の延出部３５ｄを召合せ框１１の長手方向に貫通させたビス３３を縦框対面部３２ａに螺合して縦框１３とともに召合せ框１１と更に接合しても良い。この場合には、召合せ框１１と縦框１３との接合部が火炎に曝されたとしても、召合せ框１１と縦框１３との接合がより外れ難く、より防火性に優れた建具１を提供することが可能である。
【００４０】
また、図９に示すように、召合せ框１１の下ガラス収容部１１ａ内に、第１実施形態と同じ下補強材１６を備え、下補強材１６の内下板部１６ａと縦補強材３５の内縦板部３５ａとが、また、下補強材１６の外下板部１６ｂと縦補強材３５の外縦板部３５ｂとが互いに接触または近接するように配置しても良い。この場合には、召合せ框１１と縦框１３との接合部が火炎に曝されて召合せ框１１及び縦框１３が溶融したとしても、内下板部１６ａと内縦板部３５ａとが、また、外下板部１６ｂと外縦板部３５ｂとが互いに係合して倒れを防止すべく支えるので、召合せ框１１と縦框１３との接合がより外れ難く、縦補強材３５のみが設けられている場合より防火性を向上させることが可能である。このため、より防火性に優れた建具１を提供することが可能である。
【００４１】
上記実施形態においては、建具を勝手口などに用いられる扉が備える換気用の上げ下げ窓用の建具１としたが、これに限るものではない。たとえば、建物等に直接設けられた枠体に障子が設けられている建具であっても構わない。また、上げ下げ窓用の建具に限らず、引き違い窓や、片引き窓用の建具であっても構わない。片引き窓の場合には、召合せ框が対向する部材は、縦骨や壁などに相当する。
【００４２】
また、各ガラス収容部１１ａ、１２ａ、１３ａ、１４ａや中空部１１ｅ、１２ｅ、１３ｅ、１４ｅには、適宜熱膨張性黒鉛などの加熱発泡材を設けておいても構わない。
【００４３】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４４】
１  建具、５  枠体、５ａ  開口、１０  外障子、１０ａ  框体、
１１  召合せ框（下框）、１１ａ  下ガラス収容部、１１ｅ  中空部、
１１ｊ  ビス螺合部、１２  上框、１２ａ  上ガラス収容部、１３  縦框、
１３ａ  側ガラス収容部、１３ｅ  中空部、１４  縦框、１４ａ  側ガラス収容部、
１５  複層ガラス、１５ａ  周端部（上端部、下端部、側端部）、１６  下補強材、
１８  縦補強材、２０  内障子、２１  召合せ框、３０  タッピングビス、
３２  中空部内補強材、３５  縦補強材、３５ｄ  延出部
【図１】
2015190108.tif 000003
【図２】
2015190108.tif 000004
【図３】
2015190108.tif 000005
【図４】
2015190108.tif 000006
【図５】
2015190108.tif 000007
【図６】
2015190108.tif 000008
【図７】
2015190108.tif 000009
【図８】
2015190108.tif 000010
【図９】
2015190108.tif 000011